(57)【要約】      （修正有）【課題】携帯可能で短時間で安全にまつげカールができるまつげカール器を提供する。【解決手段】本体上部、アーチ形上下でまつげを挟む構造で、アーチ形下の押圧可動する金属部凹に面形状シリコンラバーヒーターを具備する。面形状シリコンラバーヒーターを加温する為の電池を、押圧可動背面の電池設置部に配置し、面形状シリコンラバーヒーターは、加温の際４０℃になるとそれ以上温度が上がることのない制御装置を備える。【選択図】図１
0003163191.tif 000002
【実用新案登録請求の範囲】
【請求項１】
少なくともまつげ押圧部が金属のまつげカール器であって、当該本体に電池設置部を持つまつげカール器。
【請求項２】
請求項１の当該電池設置部の電池は取り外し可能なまつげカール器。
【請求項３】
請求項１の本体まつげ押圧部に加温ヒーターを具備するまつげカール器。
【請求項４】
請求項３のヒーターは請求項２とスイッチを入れる事により電池と結線され、当該まつげカール器押圧部が加温され、ヒーターは４０℃になると温度がそれ以上に上がることのない制御装置を備えた安全構造のまつげカール器。
【考案の詳細な説明】
【技術分野】
【０００１】    本考案は、金属製のまつげカール器で少なくとも押圧部が、ヒーターを持つ構造のものである。
【背景技術】
【０００２】  まつげをカールする場合、従来の金属製まつげカール器での１回の押圧ではカールできず複数回の押圧やまつげカール器をヘアードライヤーや携帯発熱体カイロで温める事によってまつげにカールをつけてきた。又はまつげにパーマをかけてきた。
【考案の開示】
【考案が解決しようとする課題】
【０００３】  従来金属製まつげカール器はそれ自体で加温する構造を持っていなかったため、複数回押圧使用することにより、まつげ脱毛や切毛などのまつげにダメージをあたえることとなった。金属製まつげカール器を温める為のヘアードライヤーの携帯は不便であり、携帯発熱体カイロの毎回の使用は不経済である。また、従来のプラスチック製温熱まつげカール器はまつげを挟む部分の厚みが厚く、まぶたを挟み込み危険やプラスチックという材質上から安全性が損なわれ、今は販売されていない現状である。くしタイプ棒状プラスチック製温熱まつげカール器もあるが、まつげの生え際から先までのカーブを付けるスライドが難しく、充分にまつげをカールできず非常に実用性に乏しい。まつげパーマをかけることは、パーマ液の薬品による眼球炎症、まぶた皮膚炎症などとダメージを伴うこともある。金属製のまつげカール器に面形状ヒーターを付ける事により、前述のさまざまなる欠点と尚且つ安全性を解決しようとするものである。
【課題を解決するための手段】
【０００４】  本考案は、力点、支点、作用点の構成からなる温熱金属製のまつげカール器である。金属製とは従来の鉄にニッケルメッキをしたものであるが、作用点まつげ挟み込み部分背面に電池設置部を設け電池を取り外し可能としスイッチを設ける。当該作用点まつげ挟み込み部分のパイプ状内部に通電線を配し、まつげ挟み込み部分凹型底面にヒーターを持つところを特長とするまつげカール器である。
【考案の効果】
【０００５】  上述の様に、本考案の温熱まつげカール器は、従来の金属製まつげカール器のようにヘアードライヤーで温めたり、携帯発熱体カイロで温めることなく、まつげカール器を温めることができ、携帯にも便利である。従来のプラスチック製温熱カール器のまつげを挟み込む部分の厚さと比較して１／４程度の薄さにすることが可能である。本温熱まつげカール器はまつげを挟み込む可動しない上部分の厚さが２．０ｍｍ、挟み込む可動する下部分は４．０ｍｍと薄いので皮膚感覚が取れ易く、皮膚に接触部分が少なくてすむ。熱は５０℃以下を保持することから極めて安全にまつげをカールすることが可能である。又、一定の温度を持続できることから、複数回押圧することなく短時間にてまつげカールすることが可能なことから、脱毛や切れ毛などのダメージが少なくて済み安全面もクリアーするものである。そのうえまつげ上でスライドも可能なので、カールのカーブも可能である。
【考案を実施するための最良の形態】
【０００６】  以下本体軸部まつげを挟み込む可動しない金属製上部弧状部分（図Ａ）を固定先端弧部と称す。以下もう一方の押圧可動するまつげ挟み込む金属弧状部分を可動体弧部（図Ｂ）と称す。当該可動体弧部背面に電池設置部（ボタン電池１．５Ｖ）（図Ｃ）を設ける。可動体弧部Ｂ凹底面部分に貼ったシリコンラバーヒーターは強度にも強いニッケル合金（発熱抵抗体）をシリコンゴムシート（絶縁材）等で挟み込んだ柔らかい面形状ヒーターを使用するが、ヒーターの種類を限定するものではない。電池設置部にＣにボタン電池を挿入し、スイッチにより通電することにより、可動体弧部Ｂ凹底面に貼ったシリコンラバーヒーターを４０℃までの安定した温度に制御し、温めることが出来る。従って本考案を実施することにより、携帯可能で、且つ効果的に短時間で安全にまつげカールが可能となる。
【図面の簡単な説明】
【０００７】
【図１】本考案の温熱まつげカール器の実施例を示す正面図である。
【図２】本考案の温熱まつげカール器の実施例を示す側面図である。
【図３】本考案の温熱まつげカール器の実施例を示す背面図である。
【図４】本考案の温熱まつげカール器の可動体弧部正面図である。
【図５】本考案の温熱まつげカール器の可動体弧部の上部からの凹面図である。
【図６】本温熱まつげカール器の可動体弧部側面図である。
【図７】配線図である。
【符号の説明】１．面形状ヒーター
２．電池設置部
３．スイッチ
４．ピン
【図１】
0003163191.tif 000003
【図２】
0003163191.tif 000004
【図３】
0003163191.tif 000005
【図４】
0003163191.tif 000006
【図５】
0003163191.tif 000007
【図６】
0003163191.tif 000008
【図７】
0003163191.tif 000009
【手続補正書】
【提出日】平成22年4月7日(2010.4.7)
【手続補正１】
【補正対象書類名】実用新案登録請求の範囲
【補正対象項目名】請求項２
【補正方法】変更
【補正の内容】
【請求項２】
金属製のまつげカール器であって、当該本体上部、アーチ形上下でまつげを挟む構造で、アーチ形下の押圧可動する金属部背面に電池設置部を設け、持ち運び、保管の際にも安全性の上からも電池は取り外し可能な温熱まつげカール器。
【手続補正２】
【補正対象書類名】実用新案登録請求の範囲
【補正対象項目名】請求項３
【補正方法】変更
【補正の内容】
【請求項３】
金属製のまつげカール器であって、当該本体上部、アーチ形上下でまつげを挟む構造で、アーチ形下の押圧可動する金属部凹部にシリコンラバーヒーターを具備する温熱まつげカール器。
【手続補正３】
【補正対象書類名】実用新案登録請求の範囲
【補正対象項目名】請求項４
【補正方法】変更
【補正の内容】
【請求項４】
金属製のまつげカール器であって、当該本体上部、アーチ形上下でまつげを挟む構造で、アーチ形下の押圧可動する金属部凹部に具備したシリコンラバーヒーターは、４０℃になるとそれ以上温度が上がることのない制御装置を備えた安全構造の温熱まつげカール器。
【手続補正書】
【提出日】平成22年7月23日(2010.7.23)
【手続補正１】
【補正対象書類名】実用新案登録請求の範囲
【補正対象項目名】全文
【補正方法】変更
【補正の内容】
【実用新案登録請求の範囲】
【請求項１】
金属製のまつげカール器であって、当該本体上部、アーチ形上下でまつげを挟む構造で、アーチ形下の押圧可動する金属部凹に面形状シリコンラバーヒーターを具備することを特徴とするまつげカール器。
【請求項２】
金属製のまつげカール器であって、当該本体上部、アーチ形上下でまつげを挟む構造で、アーチ形下の押圧可動する金属部凹部に具備した面形状シリコンラバーヒーターに加温する為の電池は、押圧可動背面に電池設置部を配置することを特徴とする請求項１に記載のまつげカール器。
【請求項３】
金属製のまつげカール器であって、当該本体上部、アーチ形上下でまつげを挟む構造で、アーチ形下の押圧可動する金属部凹の面形状シリコンラバーヒーターに加温しない時は、押圧可動背面に具備した電池設置部より電池を取り外すことにより、持ち運び、保管の際の安全性を特徴とする請求項１、２に記載のまつげカール器。
【請求項４】
金属製のまつげカール器であって、当該本体上部、アーチ形上下でまつげを挟む構造で、アーチ形下の押圧可動する金属部凹部に具備した面形状シリコンラバーヒーターは、加温の際４０℃になるとそれ以上温度が上がることのない制御装置を備えた安全構造のシリコンラバーヒーターを使用することが特徴の請求項１〜３に記載のまつげカール器。